(57)【特許請求の範囲】
【請求項１】
熱源機で加熱生成された温水を往き側の温水配管から温水端末機の熱交換器へ送り込んで放熱させた後、戻り側の温水配管を介して熱源機へ戻し入れる温水循環動作を行う温水利用システムであって、前記往き側の温水配管が前記熱交換器へ繋がる温水端末機の出水側の配管接続部に接続され、前記戻り側の温水配管が前記熱交換器へ繋がる温水端末機の入水側の配管接続部に接続された逆接続状態であるか否かを判定可能な接続判定手段を備えた温水利用システムにおいて、
接続判定手段は、前記温水循環動作実行中に前記熱交換器への通水を一旦停止し、所定時間経過後に通水を再開させた際、前記入水側の配管接続部と前記熱交換器とを繋ぐ入水管路内の水温が予め設定された基準変化量以上低下した場合に、前記逆接続状態であると判定することを特徴とする、温水利用システム。
【請求項２】
請求項１に記載の温水利用システムにおいて、
温水端末機は、前記熱交換器から放出される熱を機外へ送り出す循環ファンを備え、
接続判定手段は、少なくとも、通水を停止してから前記所定時間が経過するまで前記循環ファンを作動させた状態で、通水を再開させた際の前記入水管路内の水温が前記基準変化量以上低下したか否かを判定することを特徴とする、温水利用システム。
【発明の詳細な説明】
【技術分野】
【０００１】
本発明は、温水の熱を利用して暖房や乾燥等を行う温水利用システム、特に、温水を加熱生成する熱源機とその温水の熱を放出する温水端末機との温水配管の逆接続を検知可能な温水利用システムに関するものである。
【背景技術】
【０００２】
熱源機で加熱生成された温水を浴室空気調和機や衣類乾燥機等の温水端末機へ循環供給し、この温水端末機から放出された温水の熱によって室内の暖房や衣類の乾燥等を行う温水利用システムでは、放熱効率を考慮し、温水端末機の熱交換器内の通水方向を一方向に設定したものが一般的である。
【０００３】
従って、熱源機から延びる往き側および戻り側の温水配管が誤って温水端末機の配管接続部の入水側および出水側に対して逆接続された場合には、上記熱交換器内を温水が逆向きに流れるため、放熱効率が低下する。
【０００４】
そこで、この放熱効率の低下を回避するため、温水端末機内に熱交換器の入水温および出水温を検知する二つの水温センサを設け、その入水温と出水温との高低差に基づいて温水配管の逆接続を判定するものがある。
【０００５】
図４は、上記高低差に基づいて逆接続を判定する従来の温水利用システム６の概略構成図であり、熱源機７から延びる温水配管の往き配管Ｌ１および戻り配管Ｌ２に、温水の熱を放出して室内の暖房を行う温水端末機８が接続されている。
【０００６】
熱源機７は、図示しないガスバーナの燃焼熱を回収して温水を生成する熱交換器７２と、熱交換器７２内で生成された温水を往き配管Ｌ１へ送り出して温水端末機８との間で循環させる循環ポンプ７４とを備えている。
【０００７】
一方、温水端末機８は、熱源機７から循環供給される温水の熱を放出する熱交換器８２と、熱交換器８２の表面から放出された熱を室内へ送り出す循環ファン８３とを備えている。
【０００８】
また、温水端末機８のケーシング８０には、入水管路８２ａを介して熱交換器８２へ繋がる入水管接続部８０１と、出水管路８２ｂを介して熱交換器８２へ繋がる出水管接続部８０２とが設けられており、この入水管接続部８０１に往き配管Ｌ１が接続され、出水管接続部８０２に戻り配管Ｌ２が接続される。
【０００９】
さらに、上記入水管接続部８０１と熱交換器８２とを繋ぐ入水管路８２ａには、入水温センサ８５ａが添設され、出水管接続部８０２と熱交換器８２とを繋ぐ出水管路８２ｂには、出水温センサ８５ｂが添設されており、これら入水温センサ８５ａおよび出水温センサ８５ｂは、温水端末機８の制御部Ｃ８へ電気的に接続されている。
【００１０】
温水端末機８の制御部Ｃ８には、暖房運転を実行した際に、入水温センサ８５ａの検知温度が出水温センサ８５ｂの検知温度より低い場合は、ケーシング８０に設けられたエラー表示ランプ８１を点灯させる接続判定回路（図示しない）が組み込まれている。
このものでは、熱源機７と温水端末機８とを接続する際、誤って熱源機７の出湯側の温水配管である往き配管Ｌ１が温水端末機８の出水管接続部８０２に接続され、熱源機７への戻り側の温水配管である戻り配管Ｌ２が温水端末機８の入水管接続部８０１に接続された逆接続状態で暖房運転を実行すれば、熱源機７から供給される高温の温水が上記出水管路８２ｂ内へ流れ込み、さらに熱交換器８２で放熱された後の低温の温水は、上記入水管路８２ａ内へ流れ込む。
【００１１】
その結果、上記入水温センサ８５ａの検知温度が出水温センサ８５ｂの検知温度より低くなり、このことを検知した上記接続判定回路は、温水配管が逆接続であることをエラー表示ランプ８１の点灯によって施工者へ報知させる。これにより、放熱能力が低下した状態で使用されるのを未然に回避することが可能となる。
【特許文献１】特開平４−２６８１２３号公報
【発明の開示】
【発明が解決しようとする課題】
【００１２】
しかしながら、上記従来のものでは、逆接続を検知するための水温センサを上記入水管路８２ａおよび出水管路８２ｂの二箇所に設ける必要があるから、温水端末機全体の構造が複雑になる問題があった。
【００１３】
本発明は係る点に鑑みてなされたもので、
『熱源機で加熱生成された温水を往き側の温水配管から温水端末機の熱交換器へ送り込んで放熱させた後、戻り側の温水配管を介して熱源機へ戻し入れる温水循環動作を行う温水利用システムであって、前記往き側の温水配管が前記熱交換器へ繋がる温水端末機の出水側の配管接続部に接続され、前記戻り側の温水配管が前記熱交換器へ繋がる温水端末機の入水側の配管接続部に接続された逆接続状態であるか否かを判定可能な接続判定手段を備えた温水利用システム』において、温水端末機全体の構造が複雑化するのを防止することを課題とする。
【課題を解決するための手段】
【００１４】
上記課題を解決するための請求項１に係る発明の技術的手段は、
『接続判定手段は、前記温水循環動作実行中に前記熱交換器への通水を一旦停止し、所定時間経過後に通水を再開させた際、前記入水側の配管接続部と前記熱交換器とを繋ぐ入水管路内の水温が予め設定された基準変化量以上低下した場合に、前記逆接続状態であると判定することを特徴とする』ものである。
上記技術的手段によれば、温水循環動作実行中に温水端末機の熱交換器への通水を一旦停止し、再度、熱交換器への通水を開始させた際、温水端末機の入水側の配管接続部と熱交換器とを繋ぐ入水管路内の水温が予め設定された基準変化量以上低下した場合に逆接続状態であると判定される。
【００１５】
即ち、往き側の温水配管を熱交換器の入水側の配管接続部に接続し、戻り側の温水配管を熱交換器の出水側の配管接続部に接続した正接続状態である場合、温水循環動作実行中に温水端末機の熱交換器への通水を一旦停止し、再度、所定時間経過後に通水を開始すれば、上記熱交換器内で所定時間放熱して冷却された後の温水は、熱交換器の出水側に流れるから、上記入水管路内の水温を低下させない。
【００１６】
一方、上記逆接続状態である場合、上記所定時間経過後に通水を開始すれば、上記熱交換器内で冷却された温水は、熱交換器の入水側に流れるから、入水管路内の水温を低下させる。
【００１７】
そこで、温水循環動作実行中に温水端末機の熱交換器への通水を所定時間停止した後、再度通水を開始させ、そのときの上記入水管路内の水温が予め設定された基準変化量以上に低下すれば、逆接続状態であると判定する。
従って、温水端末機の出水側の配管接続部と熱交換器とを繋ぐ出水管路には、上記入水管路とは別の水温センサを設ける必要がない。
【００１８】
請求項２に係る発明の技術的手段は、
前記請求項１において、
『温水端末機は、前記熱交換器から放出される熱を機外へ送り出す循環ファンを備え、
接続判定手段は、少なくとも、通水を停止してから前記所定時間が経過するまで前記循環ファンを作動させた状態で、通水を再開させた際の前記入水管路内の水温が前記基準変化量以上低下したか否かを判定することを特徴とする』ものである。
このものでは、少なくとも、前記通水を停止してから前記所定時間が経過するまで温水端末機の循環ファンを作動させて上記熱交換器からの放熱量を増加させ、温水配管が逆接続である場合に上記入水側へ流れ出す熱交換器内の水温を十分に低下させた状態で、逆接続状態であるか否かの判定が行われる。即ち、温水配管が逆接続である場合における入水管路内の水温の低下量と上記基準変化量との差が顕著にあらわれる状態で逆接続状態であるか否かの判定が行われる。その結果、温水配管の逆接続の誤判定が低減される。
【発明の効果】
【００１９】
本発明は、上記構成であるから次の特有の効果を有する。
請求項１に係る発明では、温水端末機の入水側の配管接続部と熱交換器とを繋ぐ入水管路内の水温の低下量から温水配管の逆接続を判定することによって、温水端末機の出水側の配管接続部と熱交換器とを繋ぐ出水管路に上記入水管路とは別の水温センサを設ける必要がないから、温水利用システム全体の構造が複雑化するのを防止できる。
【００２０】
請求項２に係る発明では、熱交換器からの放熱量を増加させた状態における入水管路内の水温の低下量から温水配管の逆接続を判定することによって、温水配管の逆接続の誤判定が低減されるから、逆接続判定精度が向上する。
【発明を実施するための最良の形態】
【００２１】
次に、上記した本発明を実施するための最良の形態について、添付図面を参照しながら詳述する。
図１は、本発明の実施の形態に係る温水利用システム１の概略構成図であり、図２は、その温水利用システム１の温水配管の接続判定動作を示す作動フローチャートである。以下、各部の詳細を説明する。
【００２２】
図１に示すように、上記温水利用システム１は、温水を加熱生成する暖房用の熱源機２と、温水の熱を放出して暖房や乾燥を行う浴室空気調和機３とを往き側の温水配管（以下、「往き配管」という）Ｌ１および戻り側の温水配管（以下、「戻り配管」という）Ｌ２で接続したものであり、熱源機２の熱交換器２２内で生成された温水を上記往き配管Ｌ１を介して浴室空気調和機３へ供給し、その浴室空気調和機３の熱交換器３２内で放熱させた後、再び戻り配管Ｌ２から熱源機２へ戻す温水循環動作を行うものである。そして、この温水循環動作によって、浴室空気調和機３の熱交換器３２から放熱させ、浴室内の暖房や乾燥等が行われる。
また、熱源機２には、その熱源機２や浴室空気調和機３の動作を指示するコントローラ４が電気的に接続されている。
【００２３】
［熱源機２］
熱源機２は、燃料ガスの燃焼熱によって温水を加熱生成するものであり、そのケーシング２０内には、図示しないガス配管から供給される燃料ガスを燃焼させるガスバーナ２１と、上記燃料ガスの燃焼熱を回収する熱交換器２２と、ガスバーナ２１へ供給する燃料ガスの供給量を調整するガス量調整弁２３と、熱交換器２２内で生成された温水を往き配管Ｌ１側へ送り出して浴室空気調和機３との間で循環させる循環ポンプ２４と、熱源機２全体の動作を制御する制御部（以下、「熱源側制御部」という）Ｃ２とが収容されている。
【００２４】
そして、上記熱交換器２２の温水出口側に往き配管Ｌ１が循環ポンプ２４を介して接続され、温水入口側に戻り配管Ｌ２が接続されている。
上記熱源側制御部Ｃ２には、ガス量調整弁２３、循環ポンプ２４、後述する端末側制御部Ｃ３および後述するリモコン側制御部Ｃ４が電気的に接続されているとともに、その端末側制御部Ｃ３から出力される出湯指示信号を受信した際、循環ポンプ２４を作動させるとともに図示しない点火装置によってガスバーナ２１を点火し、図示しない出湯温センサの検知温度が予め設定された出湯温度（例えば、８０℃）になるようにガス量調整弁２３の開度を調整する出湯制御回路Ｃ２０が組み込まれている。
【００２５】
上記出湯制御回路Ｃ２０は、循環ポンプ２４が作動し且つガスバーナ２１が燃焼している場合に、それら循環ポンプ２４およびガスバーナ２１が正常に動作していることを示す出湯信号を後述する端末側制御部Ｃ３へ出力する機能を備えている。
【００２６】
［浴室空気調和機３］
浴室空気調和機３は、熱源機２から循環供給される温水の熱を温風として浴室内へ送り出して暖房や乾燥を行う温水端末機であり、そのケーシング３０内には、温水の熱を放出する熱交換器３２と、熱交換器３２から放出される熱を浴室内へ送り出す循環ファン３３と、浴室空気調和機３全体の動作を制御する制御部（以下、「端末側制御部」という）Ｃ３とが収容されている。
【００２７】
また、ケーシング３０内には、吸気口３０ａおよび送風口３０ｂ相互を繋ぐ通気路３００が形成されており、この通気路３００の上流側に上記熱交換器３２が組み込まれ、下流側に循環ファン３３が組み込まれている。
【００２８】
熱交換器３２は、通気路３００の側壁相互間を循環ファン３３側から吸気口３０ａ側へ蛇行するように延びる放熱管３２０を有しており、この放熱管３２０の上記循環ファン３３側の端部が入水管路３２ａを介してケーシング３０の外面に設けられた入水側の配管接続部（以下、「入水側接続部」という）３０１へ繋がる一方、放熱管３２０の上記吸気口３０ａ側の端部がケーシング３０の外面に設けられた出水側の配管接続部（以下、「出水側接続部」という）３０２へ繋がっている。
【００２９】
従って、往き配管Ｌ１が上記入水側接続部３０１に接続され、戻り配管Ｌ２が上記出水側接続部３０２に接続された正接続状態において、熱源機２から放熱管３２０内へ供給される高温の温水は、その循環ファン３３側を通って吸気口３０ａ側へ流れる。
【００３０】
また、上記入水管路３２ａには、上記端末側制御部Ｃ３の指示に応じて開閉可能な熱動弁３４が組み込まれており、この熱動弁３４を開放させることで、熱源機２から送り出された温水が放熱管３２０内へ流れ込む。
【００３１】
さらに、上記入水管路３２ａには、入水管路３２ａ内の水温を検知する入水温センサ３５が添設されている。
循環ファン３３は、通気路３００の側壁相互間に延びるクロスフローファンであり、その軸端には、ファンモータ３６が接続されている。
【００３２】
従って、このファンモータ３６を駆動させれば、浴室内の空気が吸気口３０ａから通気路３００内へ取り込まれ、上記正接続状態において低温域となる放熱管３２０の吸気口３０ａ側で暖められた後、高温域となる放熱管３２０の循環ファン３３側でさらに加熱され、送風口３０ｂから浴室内へ送り出される。その結果、通気路２００内へ送り込まれた空気は、効率良く加熱される。
【００３３】
一方、上記端末側制御部Ｃ３には、熱動弁３４、入水温センサ３５、ファンモータ３６および熱源側制御部Ｃ２が電気的に接続されているとともに、コントローラ４側から出力される暖房指示信号を受信した際、熱動弁３４を開放させ、入水温センサ３５の検知温度Ｔが予め設定された送風開始温度Ｔｍ（例えば、４０℃）に到達した時点でファンモータ３６を作動させる暖房制御回路Ｃ３０が組み込まれている。
【００３４】
さらに、端末側制御部Ｃ３には、ケーシング３０に設けられた逆接続報知ランプＰ１および熱源機エラー報知ランプＰ２が電気的に接続されているとともに、往き配管Ｌ１および戻り配管Ｌ２の接続判定動作（図２の作動フローチャートに示す制御動作）を実行する接続判定回路Ｃ３１と、上記検知温度Ｔの単位時間あたりの変化量（以下、「温度勾配」という）△ｄｎを検知する水温変化検知回路Ｃ３２とが組み込まれている。
【００３５】
また、上記接続判定回路Ｃ３１には、後述する水温低下量△Ｔが逆接続を示す値であるか否かを判定するための基準変化量（例えば、３ｄｅｇ）Ｓが予め記憶されている。
尚、上記「接続判定回路Ｃ３１」が、既述請求項１から３の発明特定事項としての「接続判定手段」に対応する。
【００３６】
［コントローラ４］
図１に示すように、コントローラ４は、電源スイッチＰ３、暖房スイッチＰ４、音声出力部Ｐ５および表示部Ｐ６を備えているとともに、暖房スイッチＰ４のオン操作に応じて熱源側制御部Ｃ２へ出湯待機信号を出力し、端末側制御部Ｃ３へ暖房指示信号を出力する制御部（以下、「リモコン側制御部」という）Ｃ４を備えている。
【００３７】
［接続判定動作の実際］
次に、上記端末側制御部Ｃ３の接続判定回路Ｃ３１による接続判定動作を図２の作動フローチャートに従って説明する。
【００３８】
コントローラ４の電源スイッチＰ３がオンにされると、暖房制御回路Ｃ３０が起動し、暖房指示信号がコントローラ４のリモコン側制御部Ｃ４から入力されるのを待機した状態になる（ＳＴ１）。
このとき、熱源機２では、リモコン側制御部Ｃ４から出力された出湯待機信号を受けて熱源側制御部Ｃ２の出湯制御回路Ｃ２０を起動し、端末側制御部Ｃ３から出湯指示信号が出力されるのを待機した状態になる。
【００３９】
コントローラ４の暖房スイッチＰ４がオンにされ、リモコン側制御部Ｃ４から暖房指示信号が熱源側制御部Ｃ２を介して入力されると、暖房制御回路Ｃ３０によって熱動弁３４を開放させるとともに、熱源側制御部Ｃ２へ出湯指示信号を出力する（ＳＴ２〜３）。
【００４０】
そして、この出湯指示信号を受けた熱源側制御部Ｃ２は、図示しないが、循環ポンプ２４を作動させるとともにガスバーナ２１を点火し、往き配管Ｌ１側へ温水の供給を開始する。これにより、熱源機２側の熱交換器２２内で生成された温水が往き配管Ｌ１を通って浴室空気調和機３側の熱交換器３２内へ送り込まれる。
【００４１】
熱交換器３２への通水が開始されると、端末側制御部Ｃ３は、ファンモータ３６を作動させ、浴室内へ温風を循環供給する暖房運転を開始するとともに、入水管路３２ａ内の水温、即ち、入水温センサ３５の検知温度Ｔが所定の温度Ｔｍ（ここでは、４０℃）に到達したか否かを判定する（ＳＴ４〜５）。
【００４２】
上記ステップＳＴ５にて、検知温度Ｔが所定の温度Ｔｍに到達していない場合は、熱源側制御部Ｃ２から端末側制御部Ｃ３へ出湯信号が入力されているか否か、即ち、熱源機２が正常に動作しているか否かを判定する。そして、上記出湯信号が入力されている場合は、再び、上記ステップＳＴ５の判定動作を実行する（ＳＴ６）。
【００４３】
上記ステップＳＴ５にて、検知温度Ｔが所定の温度Ｔｍに到達すれば、水温変化検知回路Ｃ３２によって、上記温度勾配△ｄｎが０であるか否か、即ち、入水温センサ３５の検知温度Ｔが一定値で推移しているか否かの監視を開始する（ＳＴ７）。
【００４４】
そして、上記温度勾配△ｄｎが０になれば、循環ファン３３の回転は維持した状態で所定時間（ここでは、１０秒間）熱動弁３４を閉じ、放熱管３２０内に滞留する温水の熱を放出させる（ＳＴ８〜９）。
【００４５】
その後、ステップＳＴ９にて上記所定時間が経過すれば、その所定時間経過時点の入水温センサ３５の検知温度（以下、「通水再開前の水温」という）Ｔ１を記憶するとともに熱動弁３４を開き、放熱管３２０内への通水を再開させる（ＳＴ１０）。
【００４６】
そして、熱動弁３４を開放してから一定時間（ここでは、５秒）経過後の入水温センサ３５の検知温度（以下、「通水再開後の水温」という）Ｔ２を上記通水再開前の水温Ｔ１から差し引いた値、即ち、通水を再開させた後の単位時間あたりの水温低下量△Ｔを算出し、その水温低下量△Ｔが上記基準変化量Ｓより小さいか否かを判定する（ＳＴ１１〜１３）。
上記ステップＳＴ１３にて、水温低下量△Ｔが基準変化量Ｓより小さい場合（例えば、２ｄｅｇ）は、暖房スイッチＰ４がオフにされるまで暖房運転が実行される（ＳＴ１４）。
【００４７】
即ち、通水を再開した際の水温低下量△Ｔが少なければ、往き配管Ｌ１内に滞留した比較的温度の高い温水が入水側接続部３０１を介して入水管路３２ａへ流れ込む正接続状態であると想定できるから、暖房運転を継続する。
【００４８】
そして、暖房スイッチＰ４がオフにされれば、熱源側制御部Ｃ２へ出湯停止信号を出力するとともに、熱動弁３４を閉塞させて放熱管３２０内の通水を遮断した後、ファンモータ３６を停止して浴室内への温風の供給を停止する（ＳＴ１５〜１６）。
このとき、端末側制御部Ｃ３から出力された出湯停止信号を受けた熱源側制御部Ｃ２の出湯制御回路Ｃ２０は、ガスバーナ２１を消火させるとともに循環ポンプ２４を停止させる。
【００４９】
一方、図３のグラフに示すように、上記ステップＳＴ１３にて、通水を再開した際の水温低下量△Ｔが基準変化量Ｓ以上である場合（例えば、８ｄｅｇ）は、放熱管３２０内で滞留し冷却された比較的温度の低い温水が入水管路３２ｂへ流れ込む逆接続状態であることが想定される。
【００５０】
従って、浴室空気調和機３の逆接続報知ランプＰ１を点灯させるとともに、コントローラ４の音声出力部Ｐ５および表示部Ｐ６から温水配管が逆接続であることを音声および表示によって報知させ、上記ステップＳＴ１５およびＳＴ１６の暖房停止動作を実行し、暖房運転を中止する（ＳＴ１７，ＳＴ１５〜１６）。
【００５１】
即ち、浴室空気調和機３を設置した後に試運転を実行すれば、往き配管Ｌ１が出水側接続部３０２に接続された逆接続状態であることが施工者へ報知されるとともに、暖房運転が停止される。
尚、上記ステップＳＴ１３における「通水を再開した際の水温低下量△Ｔが基準変化量Ｓより小さいか否かを判定し、その水温低下量△Ｔが基準変化量Ｓ以上であれば、温水配管が逆接続状態であると判定する」端末側制御部Ｃ２の機能部が、既述請求項１および２の発明特定事項としての「接続判定手段」に対応する。
【００５２】
また、上記ステップＳＴ４からＳＴ６の制御動作実行中に、ガスバーナ２１の消火や循環ポンプ２４の異常動作等、熱源機２の出湯動作不良が発生し、熱源側制御部Ｃ２から出湯信号が入力されなくなった場合は、浴室空気調和機３の熱源機エラー報知ランプＰ２を点灯させるとともに、コントローラ４の音声出力部Ｐ５および表示部Ｐ６から熱源機２が出湯動作不良であることを音声および表示によって報知させ、上記ステップＳＴ１５およびＳＴ１６の暖房停止動作を実行する（ＳＴ１８，ＳＴ１５〜１６）。
【００５３】
従って、熱源機２の出湯動作不良によって浴室空気調和機３側へ温水が供給されていない場合は、往き配管Ｌ１および戻り配管Ｌ２が逆接続であるか否かを判定する前に、熱源機２の出湯動作不良が施工者へ報知されるとともに、暖房運転が停止される。
【００５４】
このように、暖房運転実行中に浴室空気調和機３の熱交換器３２内への通水を一旦停止し、所定時間経過後に再度通水させた際の通水再開前の水温Ｔ１から通水再開後の水温Ｔ２を差し引いた値△Ｔが予め設定された基準変化量Ｓ以上である場合、即ち、熱交換器３２内で冷却された温水の温度を入水温センサ３５が検知した場合に逆接続状態であると判定されるから、上記入水温センサ３５とは別に、熱交換器３２の出水側に繋がる出水管路３２ｂの水温を検知するための水温センサを設ける必要がない。従って、温水利用システム１全体の構造が複雑化しない。
【００５５】
また、循環ファン３３を回転させて上記熱交換器３２からの放熱量を増加させ、熱交換器３２内の温水を十分に冷却した状態、即ち、往き配管Ｌ１および戻り配管Ｌ２が正接続である場合と逆接続である場合とで上記水温低下量△Ｔの差が顕著にあらわれる状態で、その水温低下量△Ｔが基準変化量Ｓ以上であるか否かを判定するから、通水を再開した際に熱交換器３２内の温水が入水管路３２ａへ流れ込んでいる逆接続状態であるにもかかわらず、正接続状態であると誤判定される可能性が低減される。これにより、逆接続判定精度が向上する。
【００５６】
［その他］
尚、上記実施の形態では、接続判定動作を実行する接続判定回路Ｃ３１を浴室空気調和機３の端末側制御部Ｃ３に組み込んだものを説明したが、熱源機２の熱源側制御部Ｃ２に組み込んでも良いし、コントローラ４のリモコン側制御部Ｃ４に組み込んでも良い。
【００５７】
また、上記コントローラ４は、浴室空気調和機３へ熱源機２を介して電気的に接続されているが、浴室空気調和機３へ直接的に接続したものであっても良い。
【００５８】
さらに、上記実施の形態における暖房運転では、熱交換器３２への通水の開始とともにファンモータ３６を作動させているが、入水温センサ３５の検知温度Ｔが予め設定された温度（例えば、４０℃）に到達した後、ファンモータ３６を作動させても良い。
【００５９】
また、上記実施の形態では、通水を再開した時点の入水温センサ３５の検知温度Ｔ１と、通水を再開してから一定時間経過した時点の上記検知温度Ｔ２との差に基づいて逆接続を判定するものを説明したが、所定の温度Ｔｍを超え、一定値で推移し始めた時点の入水温センサ３５の検知温度Ｔと、通水を再開してから一定時間経過した時点の上記検知温度Ｔ２との差に基づいて逆接続を判定しても良い。
【００６０】
一方、熱動弁３４を一旦閉じ、再び熱動弁３４を開いた後の上記水温低下量△Ｔが基準変化量Ｓより小さいか否かの判定は、入水温センサ３５の検知温度Ｔが一定値で推移するようになった状態で実行されているが、入水温センサ３５の検知温度Ｔが上昇している段階で実行しても良い。
【００６１】
また、上記実施の形態では、温度勾配△ｄｎが０である場合に、入水温センサ３５の検知温度Ｔが一定値で推移していると判定しているが、温度勾配△ｄｎが誤差を見込んだ範囲内（例えば、−０．１≦△ｄｎ≦＋０．１）である場合に、上記検知温度Ｔが一定値で推移していると判定しても良い。
【００６２】
さらに、上記基準変化量Ｓは、正接続状態における上記水温変化量と逆接続状態における上記水温変化量との差異が認識できる範囲内に設定すれば良く、０に設定しても良い。
上記実施の形態における温水端末機は、浴室空気調和機３を例示して説明したが、温水配管が逆接続されることによって放熱効率の低下を招く恐れのある構成のものであれば、室内暖房用のファンヒータやパネルヒータ、床暖房用の温水マット、衣類乾燥機等であっても良い。
【図面の簡単な説明】
【００６３】
【図１】本発明の実施の形態に係る温水利用システム１の概略構成図
【図２】本発明の実施の形態に係る温水利用システム１の接続判定動作を示す作動フローチャート
【図３】本発明の実施の形態に係る温水利用システム１の入水温センサ３５の検知温度Ｔの変化を示すグラフ
【図４】従来の温水利用システム６の概略構成図
【符号の説明】
【００６４】
１・・・温水利用システム
２・・・熱源機
３・・・温水端末機
３０１・・・入水側の配管接続部
３０２・・・出水側の配管接続部
３２・・・熱交換器
３２ａ・・・入水管路
Ｃ３１・・・接続判定手段
Ｌ１・・・往き側の温水配管
Ｌ２・・・戻り側の温水配管
【図１】
0004668246.tif 000002
【図２】
0004668246.tif 000003
【図３】
0004668246.tif 000004
【図４】
0004668246.tif 000005